(57)【要約】【課題】拡声放送時の拡声放送音の品質を容易に知ることができる。【解決手段】災害時に拡声放送を行う防災無線システム１００に、拡声放送音をアナログ信号からデジタル信号にし、一定長のデジタル無線データに変換し、ＣＲＣを付加して無線で送信を行う防災無線基地局１０１と、防災無線基地局からＣＲＣを付加したデジタル無線データを受信し、受信したデジタル無線データをアナログ信号に変換し拡声放送音として出力し、受信したＣＲＣを判定し、ＣＲＣの判定結果を保存する複数の拡声装置１０４−１、２、３と、防災無線基地局に拡声放送音を出力し、さらに、防災無線基地局を介して各拡声装置にＣＲＣ判定結果を送信するように要求し、各デジタル拡声装置から送信されたＣＲＣ判定結果を表示する操作卓装置１０２とを備える。【選択図】図１
2008072422.tif 000002
【特許請求の範囲】
【請求項１】
災害時に拡声放送を行う防災無線システムにおいて、
拡声放送音をアナログ信号からデジタル信号にし、一定長のデジタル無線データに変換し、ＣＲＣを付加して無線で送信を行う防災無線基地局と、
前記防災無線基地局からＣＲＣを付加したデジタル無線データを受信し、受信したデジタル無線データをアナログ信号に変換し拡声放送音として出力し、受信したＣＲＣを判定し、ＣＲＣの判定結果を保存する複数の拡声装置と、
前記防災無線基地局に拡声放送音を出力し、さらに、前記防災無線基地局を介して各前記拡声装置にＣＲＣ判定結果を送信するように要求し、各前記拡声装置から送信されたＣＲＣ判定結果を表示する操作卓装置とを備えることを特徴とする防災無線システム。
【請求項２】
各前記拡声装置はＣＲＣの一致、不一致の判定を行い、複数の最新のＣＲＣ判定結果を保存し、前記操作卓装置からのＣＲＣ判定結果の要求に対して、保存されている複数の最新のＣＲＣ判定結果を前記防災無線基地局に送信し、前記操作卓装置に表示させることを特徴とする、請求項１に記載の防災無線システム。
【請求項３】
前記複数の最新の判定結果の全てが不一致の場合には警報音発生、警告表示を行うことを特徴とする、請求項２に記載の防災無線システム。
【請求項４】
前記防災無線基地局はデジタル無線データにＣＲＣを付加する付加期間とデジタル無線データにＣＲＣを付加しない非付加期間とを交互に設け、前記拡声装置が設置される地域に応じて前記付加期間と前記非付加期間の割合を調整することを特徴とする、請求項１に記載の防災無線システム。
【請求項５】
災害時に防災無線基地局から複数の拡声装置に対して拡声放送を行わせる防災無線方法において、
拡声放送音をアナログ信号からデジタル信号にし、一定長のデジタル無線データに変換し、ＣＲＣを付加し、前記防災無線基地局から各前記拡声装置にＣＲＣを付加したデジタル無線データを無線で送信を行う工程と、
ＣＲＣを付加したデジタル無線データを受信し、受信したデジタル無線データをアナログ信号に変換し拡声放送音として出力し、受信したＣＲＣを判定し、ＣＲＣの判定結果を保存し、前記防災無線基地局から前記拡声装置へのＣＲＣ判定結果の送信要求に対してＣＲＣの判定結果を前記拡声装置から前記防災無線基地局に送信し、ＣＲＣの判定結果を表示させる工程とを備えることを特徴とする防災無線方法。
【請求項６】
災害時に防災無線基地局から複数の拡声装置に対して拡声放送を行わせる防災無線をコンピュータで実行するプログラムにおいて、
拡声放送音をアナログ信号からデジタル信号にし、一定長のデジタル無線データに変換し、ＣＲＣを付加し、前記防災無線基地局から各前記拡声装置にＣＲＣを付加したデジタル無線データを無線で送信を行う手順と、
ＣＲＣを付加したデジタル無線データを受信し、受信したデジタル無線データをアナログ信号に変換し拡声放送音として出力し、受信したＣＲＣを判定し、ＣＲＣの判定結果を保存し、前記防災無線基地局から前記拡声装置へのＣＲＣ判定結果の送信要求に対してＣＲＣの判定結果を前記拡声装置から前記防災無線基地局に送信し、ＣＲＣの判定結果を表示させる手順とを備えることを特徴とする防災無線をコンピュータで実行するプログラム。
【請求項７】
操作卓装置に接続され、災害時に複数の拡声装置に拡声放送を行わせる防災無線基地局において、
拡声放送音をアナログ信号からデジタル信号にし、一定長のデジタル無線データに変換し、各拡声装置に無線で送信させるデジタル無線データ変換部と、
前記デジタル無線データ変換部で変換されたデジタル無線データにＣＲＣを付加し、各前記拡声装置にＣＲＣの判定を行わせるＣＲＣ付加部とを備え、
前記操作卓装置からＣＲＣ判定結果を送信する要求を各前記拡声装置に送信し、各前記拡声装置から送信されたＣＲＣ判定結果を前記操作卓装置に表示させることを特徴とする防災無線基地局。
【請求項８】
災害時に防災無線基地局から拡声放送を行わせるために複数設置されている拡声装置において、
拡声放送音をアナログ信号からデジタル信号にし、一定長のデジタル無線データに変換し、デジタル無線データにＣＲＣを付加する前記防災無線基地局からＣＲＣが付加されたデジタル無線データを受信した場合にはデジタル無線データをアナログ信号に変換し拡声放送音として出力する拡声放送音出力部と、
前記デジタル無線データに付加されたＣＲＣの判定結果を保存し、前記防災無線基地局を介して前記防災無線基地局に接続される操作卓装置からＣＲＣ判定結果の送付要求があった場合にはＣＲＣ判定結果を前記防災無線基地局に送信し、前記操作卓装置にＣＲＣ判定結果を表示させるためのＣＲＣ判定・保存部とを備えることを特徴とする拡声装置。
【発明の詳細な説明】
【技術分野】
【０００１】
本発明は災害時に拡声放送を行うための防災無線システムに関する。特に、本発明は、周辺の建物の建設等による環境の悪化に対して拡声放送時の放送品質を確認することを可能にする防災無線システム、方法、プログラム、防災無線基地局及び拡声装置に関する。
【背景技術】
【０００２】
防災無線基地局からの電波の強度等を考慮して複数の拡声装置が固定して設置される固定型の防災無線システムは周知である。
各拡声装置では防災無線基地局からの無線信号を受信し、拡声放送が行われる。
しかしながら、拡声装置の周辺で建物の建設等により電波の環境が悪化し、防災無線基地局からの無線信号が拡声装置に十分に届かなくなり、拡声装置からの拡声放送音の品質が劣化する場合があるという問題があった。
【０００３】
特に、防災無線システムがアナログ式である場合には、この拡声放送時の拡声放送音の品質を防災無線基地局では容易に知ることができなかった。すなわち、拡声装置がある現場に行き、建物の建設等により電波の環境の悪化を確認する必要があり、現場から離れた防災無線基地局から拡声放送時の拡声放送音の品質劣化を知ることは困難であった。
さらに、近年、防災無線システムはアナログ式からデジタル式に移行が進んでいるが、このデジタル式の防災無線システムはアナログ式と比較して、拡声装置の周辺の影響を受けやすくなり、拡声装置の周辺で建物の建設等により電波の環境が悪化した場合、防災無線基地局からの無線信号が拡声装置に十分に届かなくなったことを現場にいかずとも迅速に確認可能にし、拡声装置の配置換えを行えるようにし、該当する拡声装置からの拡声放送音の品質の劣化を迅速に回復し、万が一の災害に対して備える必要があるという課題がある。
【０００４】
このような防災無線システムに関連して、さらに、無線信号を受信する場合に関連して、以下のような従来技術がある。
従来、リアルタイムで地域住民に放送し且つフェージングに強い屋外拡声装置を提供するため、防災用送受信部は、親局から送信される電波を受信してその電界強度を検出すると共に信号として復調し親局からの制御信号により要求された自己の状態を示す制御信号を送信し、補完用送受信部は予め補完グループを設定した近隣の屋外拡声装置との間で無線信号の送受信を行い、主制御部は、防災用送受信部及び補完用送受信部で復調した信号を解読して親局からの要求を判断し、自己の状態を示す制御信号を作成して防災用送受信部から送信させ、自局及び補完グループを設定した他方の屋外拡声装置で電界強度の大きい方から他方へ親局からの放送信号を、補完用送受信部を介し、送信し、拡声部は復調された音声信号を主制御部の制御により拡声放送するものがある（例えば、特許文献１参照）。
【０００５】
しかしながら、上記特許文献１では、フェージングに強い屋外拡声装置を提供するものであるが、拡声装置の周辺で建物の建設等により電波の環境が悪化した場合、防災無線基地局からの無線信号が拡声装置に十分に届かなくなるのを現場に行かずとも迅速に確認し、該当する拡声装置の配置換えを行えるようにし、拡声装置の設置されている拡声装置からの拡声放送音の品質の劣化を迅速に回復するというものではない。
【０００６】
さらに、従来、第１の区分されたデータブロックと第２の区分されたデータブロックを含んでいるデータフレームを受ける過程を含み、更に、第１の区分されたデータブロックと第２の区分されたデータブロックが損なわれたデータを含んでいるかどうかを判定する過程も含み、損なわれたデータを含んでいる第１の区分されたデータブロックと損なわれたデータを含んでいない第２の区分されたデータブロックとに応答して、第２の区分されたデータブロックをメモリに保存する過程も含み、また、損なわれたデータを含んでいる第１の区分されたデータブロックに応答して、この方法はデータフレームの再送信を求める過程を含み、損なわれたデータを含んでいない第１の区分されたデータブロックの再送信の受信に応答して、この方法は損なわれたデータを含んでいない第１の区分されたデータブロックを損なわれたデータを含んでいない第２の区分されたデータブロックに結合させる過程を含む方法がある（例えば、特許文献２参照）。
【０００７】
しかしながら、上記特許文献２では、無線信号に対して、損なわれたデータを含んでいるデータブロックに応答してデータフレームの再送信を行うものであるが、前述のように、拡声装置の周辺で建物の建設等により電波の環境が悪化した場合、防災無線基地局からの無線信号が拡声装置に十分に届かなくなるのを現場に行かずとも迅速に確認し、該当する拡声装置の配置換えを行えるようにし、拡声装置の設置されている拡声装置からの拡声放送音の品質の劣化を迅速に回復するというものではない。
【０００８】
また、従来、インターネットユーザデバイス及びデジタルテレビのセットトップボックス等の個別にアドレス指定可能な遠隔ユーザデバイスと通信する中央サーバにおいて動作するコンソールシステムを提供するため、コンソールシステムは、様々なソフトウェアゲームモジュールを通じて提供される対話型ゲームにより活用可能な所定の基礎機能モジュールのセットを提供し、コンソールシステムは、例えば、電子メールと、登録と、エコノミ／賞品システムと、レポートと、エラー処理と、その他の機能とに関連する機能を提供することができ、ソフトウェアゲームモジュールは、基礎機能を選択して、対話型ゲームネットワーク上でソフトウェアゲームの動作を示す基礎機能パラメータの値を送る、ゲーム固有の機能を提供するものがある（例えば、特許文献３参照）。
【０００９】
しかしながら、上記特許文献３では、無線信号に対してエラー処理等を含む機能を有するが、前述のように、拡声装置の周辺で建物の建設等により電波の環境が悪化した場合、防災無線基地局からの無線信号が拡声装置に十分に届かなくなるのを現場に行かずとも迅速に確認し、該当する拡声装置の配置換えを行えるようにし、拡声装置の設置されている拡声装置からの拡声放送音の品質の劣化を迅速に回復するという処理を行うものではない。
【００１０】
【特許文献１】特開２００４−６４３１４号公報
【特許文献２】特表２００３−５０７９３１号公報
【特許文献３】特表２００４−５３３２８７号公報
【発明の開示】
【発明が解決しようとする課題】
【００１１】
したがって、本発明は上記問題点に鑑みて、拡声放送時の拡声放送音の品質を容易に知ることができる防災無線システム、方法、プログラム、防災無線基地局及び拡声装置を提供することを目的とする。
【課題を解決するための手段】
【００１２】
本発明は前記問題点を解決するために、災害時に拡声放送を行う防災無線システムにおいて、拡声放送音をアナログ信号からデジタル信号にし、一定長のデジタル無線データに変換し、ＣＲＣを付加して無線で送信を行う防災無線基地局と、前記防災無線基地局からＣＲＣを付加したデジタル無線データを受信し、受信したデジタル無線データをアナログ信号に変換し拡声放送音として出力し、受信したＣＲＣを判定し、ＣＲＣの判定結果を保存する複数の拡声装置と、前記防災無線基地局に拡声放送音を出力し、さらに、前記防災無線基地局を介して各前記拡声装置にＣＲＣ判定結果を送信するように要求し、各前記拡声装置から送信されたＣＲＣ判定結果を表示する操作卓装置とを備えることを特徴とする防災無線システムを提供する。
【００１３】
また、各前記拡声装置はＣＲＣの一致、不一致の判定を行い、複数の最新のＣＲＣ判定結果を保存し、前記操作卓装置からのＣＲＣ判定結果の要求に対して、保存されている複数の最新のＣＲＣ判定結果を前記防災無線基地局に送信し、前記操作卓装置に表示させる。
また、前記複数の最新の判定結果の全てが不一致の場合には警報音発生、警告表示を行う。
【００１４】
また、前記防災無線基地局はデジタル無線データにＣＲＣを付加する付加期間とデジタル無線データにＣＲＣを付加しない非付加期間とを交互に設け、前記拡声装置が設置される地域に応じて前記付加期間と前記非付加期間の割合を調整する。
また、本発明は、災害時に防災無線基地局から複数の拡声装置に対して拡声放送を行わせる防災無線方法において、拡声放送音をアナログ信号からデジタル信号にし、一定長のデジタル無線データに変換し、ＣＲＣを付加し、前記防災無線基地局から各前記拡声装置にＣＲＣを付加したデジタル無線データを無線で送信を行う工程と、ＣＲＣを付加したデジタル無線データを受信し、受信したデジタル無線データをアナログ信号に変換し拡声放送音として出力し、受信したＣＲＣを判定し、ＣＲＣの判定結果を保存し、前記防災無線基地局から前記拡声装置へのＣＲＣ判定結果の送信要求に対してＣＲＣの判定結果を前記拡声装置から前記防災無線基地局に送信し、ＣＲＣの判定結果を表示させる工程とを備えることを特徴とする防災無線方法を提供する。
【００１５】
また、災害時に防災無線基地局から複数の拡声装置に対して拡声放送を行わせる防災無線をコンピュータで実行するプログラムにおいて、拡声放送音をアナログ信号からデジタル信号にし、一定長のデジタル無線データに変換し、ＣＲＣを付加し、前記防災無線基地局から各前記拡声装置にＣＲＣを付加したデジタル無線データを無線で送信を行う手順と、ＣＲＣを付加したデジタル無線データを受信し、受信したデジタル無線データをアナログ信号に変換し拡声放送音として出力し、受信したＣＲＣを判定し、ＣＲＣの判定結果を保存し、前記防災無線基地局から前記拡声装置へのＣＲＣ判定結果の送信要求に対してＣＲＣの判定結果を前記拡声装置から前記防災無線基地局に送信し、ＣＲＣの判定結果を表示させる手順とを備えることを特徴とする防災無線をコンピュータで実行するプログラムを提供する。
【００１６】
また、操作卓装置に接続され、災害時に複数の拡声装置に拡声放送を行わせる防災無線基地局において、拡声放送音をアナログ信号からデジタル信号にし、一定長のデジタル無線データに変換し、各拡声装置に無線で送信させるデジタル無線データ変換部と、前記デジタル無線データ変換部で変換されたデジタル無線データにＣＲＣを付加し、各前記拡声装置にＣＲＣの判定を行わせるＣＲＣ付加部とを備え、前記操作卓装置からＣＲＣ判定結果を送信する要求を各前記拡声装置に送信し、各前記拡声装置から送信されたＣＲＣ判定結果を前記操作卓装置に表示させることを特徴とする防災無線基地局を提供する。
【００１７】
また、災害時に防災無線基地局から拡声放送を行わせるために複数設置されている拡声装置において、拡声放送音をアナログ信号からデジタル信号にし、一定長のデジタル無線データに変換し、デジタル無線データにＣＲＣを付加する前記防災無線基地局からＣＲＣが付加されたデジタル無線データを受信した場合にはデジタル無線データをアナログ信号に変換し拡声放送音として出力する拡声放送音出力部と、前記デジタル無線データに付加されたＣＲＣの判定結果を保存し、前記防災無線基地局を介して前記防災無線基地局に接続される操作卓装置からＣＲＣ判定結果の送付要求があった場合にはＣＲＣ判定結果を前記防災無線基地局に送信し、前記操作卓装置にＣＲＣ判定結果を表示させるためのＣＲＣ判定・保存部とを備えることを特徴とする拡声装置を提供する。
【発明の効果】
【００１８】
以上説明したように、本発明によれば、拡声放送音をアナログ信号からデジタル信号にし、一定長のデジタル無線データに変換し、ＣＲＣを付加し、前記防災無線基地局から各前記拡声装置にＣＲＣを付加したデジタル無線データを無線で送信を行い、ＣＲＣを付加したデジタル無線データを受信し、受信したデジタル無線データをアナログ信号に変換し拡声放送音として出力し、受信したＣＲＣを判定し、ＣＲＣの判定結果を保存し、前記防災無線基地局から前記拡声装置へのＣＲＣ判定結果の送信要求に対してＣＲＣの判定結果を前記拡声装置から前記防災無線基地局に送信し、ＣＲＣの判定結果を表示させるようにしたので、従来のアナログ方式の防災無線システムでは、実際の拡声放送音の品質を現場から離れた防災無線基地局で取得することは困難であったが、現場から離れたデジタル防災無線基地局の操作卓装置から拡声放送時の拡声放送音の品質を現場に行かずとも取得することを可能にする。このため拡声放送音の品質の劣化した拡声装置の配置換えを行うことができ、拡声装置の設置されている拡声装置からの拡声放送音の品質の劣化を迅速に回復することが可能になる。
【発明を実施するための最良の形態】
【００１９】
以下、本発明の実施の形態について図面を参照して説明する。
図１は本発明に係る防災無線システムの概略構成を示すブロック図である。本図に示すように、防災無線システム１００には、デジタル防災無線基地局１０１、複数のデジタル拡声装置１０４−１、１０４−２、１０４−３、…が設けられ、防災無線システム１００はコンピュータで実行するプログラム制御で動作する。
【００２０】
ここに、デジタル防災無線基地局１０１はデジタル拡声装置１０４−１、１０４−２、１０４−３、…の各々にデジタル無線データを無線送信し、デジタル拡声装置１０４−１、１０４−２、１０４−３、…の各々は、デジタル防災無線基地局１０１から受信したデジタル無線データに基づき拡声放送を行う。
さらに、デジタル防災無線基地局１０１には操作卓装置１０２が接続され、操作卓装置１０２は拡声放送の操作を行い、拡声放送音のデジタル無線データをデジタル防災無線基地局１０１に送信させる。
【００２１】
デジタル防災無線基地局１０１にはアンテナ１０３が設けられ、アンテナ１０３はデジタル拡声装置１０４の各々とデジタル無線送受信を行う。
デジタル拡声装置１０４−１、１０４−２、１０４−３、…の各々にはアンテナ１０５が設けられ、アンテナ１０５の各々はデジタル拡声装置１０４とデジタル無線送受信を行う。
【００２２】
デジタル拡声装置１０４−１、１０４−２、１０４−３、…の各々にはスピーカ１０６が設けられ、スピーカ１０６の各々はデジタル防災無線基地局１０１から受信したデジタル無線データに基づき拡声放送音を鳴動する。
図２は図１におけるデジタル防災無線基地局１０１、操作卓装置１０２、デジタル拡声装置１０４−１、１０４−２、１０４−３、…の各々の概略構成を示すブロック図である。
【００２３】
本図（ａ）に示すように、操作卓装置１０２には拡声放送音入力部１０２Ａが設けられ、拡声放送音入力部１０２Ａは図示しないマイクロフォンから拡声放送音を入力し、又は図示しない録音部から防災時の拡声放送音を入力する。
さらに、操作卓装置１０２にはＣＲＣ（巡回冗長検査）判定要求部１０２Ｂが設けられ、ＣＲＣ判定結果要求部１０２Ｂは複数のデジタル拡声装置１０４−１、１０４−２、１０４−３、…の各々に対してＣＲＣ判定結果を要求する。
【００２４】
さらに、操作卓装置１０２には表示部１０２Ｃが設けられ、表示部１０２Ｃは操作卓装置１０２の拡声放送操作の情報に加え要求に対して得られたＣＲＣ判定結果を表示する。
本図（ｂ）に示すように、デジタル防災無線基地局１０１にはデジタル送受信部１０１Ａが設けられ、デジタル送受信部１０１Ａは複数のデジタル拡声装置１０４−１、１０４−２、１０４−３、…の各々との間でアンテナ１０３、１０５を介して相互にデジタルデータについて無線で送受信を行うためのデジタル変復調等を行う。
【００２５】
さらに、デジタル防災無線基地局１０１にはデジタル無線データ変換部１０１Ｂが設けられ、デジタル無線データ変換部１０１Ｂは操作卓装置１０２の拡声放送音入力部１０２Ａからの拡声放送音をアナログ信号からデジタル信号に変換し、逐次、一定長のデジタル無線データに変換する。
さらに、デジタル無線データ変換部１０１ＢにはＣＲＣ付加部１０１Ｃが設けられ、デジタル無線データ変換部１０１Ｂはデジタル無線データに対してＣＲＣを演算し、演算結果のＣＲＣをデジタル無線データに付加する。
【００２６】
本図（ｃ）に示すように、デジタル拡声装置１０４−１、１０４−２、１０４−３、…の各々にはデジタル送受信部１０４Ａが設けられ、デジタル送受信部１０４Ａはデジタル防災無線基地局１０１のデジタル送受信部１０１Ａとの間でアンテナ１０５、１０３を介して相互にデジタルデータについて無線で送受信を行うためのデジタル変復調等を行う。
さらに、デジタル拡声装置１０４−１、１０４−２、１０４−３、…の各々には拡声音出力部１０４Ｂが設けられ、拡声音出力部１０４Ｂは受信したデジタル無線データとＣＲＣを分離し、分離したデジタル無線データをアナログ信号に変換し、スピーカ１０６に拡声放送音を鳴動、出力させる。
【００２７】
さらに、デジタル拡声装置１０４−１、１０４−２、１０４−３、…の各々にはＣＲＣ判定・保存部１０４Ｃが設けられ、ＣＲＣ判定・保存部１０４Ｃは分離したＣＲＣの演算を行い、ＣＲＣの一致、不一致の判定を行い、判定結果のＣＲＣについて最新の複数の判定結果のＣＲＣを保存する。ここに、一致の判定の場合には拡声放送音の品質に劣化が無く、不一致の判定の場合には拡声放送音の品質に劣化が有るとする。
【００２８】
図３は図２のＣＲＣ付加部１０１ＣによりＣＲＣが付加されるデジタル無線データの例を示す図である。本図に示すように、デジタル防災無線基地局１０１のデジタル無線データ変換部１０１Ｂでは、一定長のデジタル無線データ毎にＣＲＣが付加される。
図４はデジタル拡声装置１０４−１、１０４−２、１０４−３、…の各々のＣＲＣ判定・保存部１０４Ｃにより保存されるＣＲＣの判定結果を保存する例を示す図である。
【００２９】
本図に示すように、デジタル拡声装置１０４−１、１０４−２、１０４−３、…の各々のＣＲＣ判定・保存部１０４Ｃには、複数の最新のＣＲＣの判定結果として、一例として、５つの最新のＣＲＣ判定結果が保存されるとする。
本図（ａ）に示すように、拡声装置１０４−１のＣＲＣ判定・保存部１０４Ｃには、５つの最新のＣＲＣ判定結果として全て「一致」が保存されているとする。この場合、拡声装置１０４−１に関しては拡声放送音の品質の劣化が無い。すなわち、拡声装置の周辺で建物の建設等により電波の環境が悪化し、防災無線基地局からの無線信号が拡声装置に十分に届かなくなるということはない。
【００３０】
本図（ｂ）に示すように、拡声装置１０４−２のＣＲＣ判定・保存部１０４Ｃには５つの最新のＣＲＣ判定結果のうち４番目の１つの新しいＣＲＣの判定結果に「不一致」が保存され、その他の判定結果として「一致」が保存されているとする。この一部の「不一致」の判定結果はフェージングにより生じているものであり、この場合、拡声装置１０４−１に関しては拡声放送音の品質の劣化が無い。すなわち、拡声装置の周辺で建物の建設等により電波の環境が悪化し、防災無線基地局からの無線信号が拡声装置に十分に届かなくなるということはない。なお、今後、「不一致」の判定結果が増加しないかを監視する対象となる。
【００３１】
本図（ｃ）に示すように、拡声装置１０４−３のＣＲＣ判定・保存部１０４Ｃには５つの最新のＣＲＣ判定結果として全て「不一致」が保存されているとする。この場合、拡声装置１０４−１に関しては拡声放送音の品質の劣化が生じている。すなわち、拡声装置の周辺で建物の建設等により電波の環境が悪化し、防災無線基地局からの無線信号が拡声装置に十分に届かなくなるためである。
【００３２】
このように、複数の最新のＣＲＣの判定結果を保存するようにするのは、１つだけにすると、前述のように、フェージングの現象で、拡声放送音の品質の劣化の発生と誤判定する場合があるためである。
図５は図２における操作卓装置１０２の表示部１０２Ｃに表示されるＣＲＣ判定結果の例を示す図である。本図に示すように、操作卓装置１０２の表示部１０２Ｃには、操作卓装置１０２のＣＲＣ判定結果要求部１０２Ｂからデジタル拡声装置１０４−１、１０４−２、１０４−３、…の各々へのＣＲＣ判定結果の要求に対してＣＲＣ判定・保存部１０４Ｃから取り出され、アンテナ１０５、１０３、デジタル防災無線基地局１０１を介して、受信した複数の最新のＣＲＣ判定結果として、一致又は不一致の表示が行われる。このＣＲＣ判定結果と拡声放送音の劣化との関係は図４の説明のとおりである。
【００３３】
拡声装置１０４−３の表示のように、複数の最新のＣＲＣ判定結果が全て不一致の場合には、拡声放送音の品質劣化の発生に対して、警報音発生、警告表示を行うようにしてもよい。
このようにして、操作卓装置１０２の表示部１０２Ｃで拡声放送時の拡声放送音の品質をデジタル拡声装置１０４−１、１０４−２、１０４−３、…が設置されている現場に行かずとも容易に確認することができる。
【００３４】
図６は図１における防災無線システムの一連の動作例を説明するフロチャートである。本図に示すように、ステップＳ２０１において、操作卓装置１０２の拡声放送音入力部１０２Ａでは拡声放送音が入力したか否かを判断する。入力が無い場合にはステップＳ２１１に進む。
ステップＳ２０２において、拡声放送音の入力がある場合には、デジタル防災無線基地局１０１のデジタル無線データ変換部１０１Ｂで拡声放送音の信号をアナログからデジタルに変換し、一定長のデジタル無線データに変換する。
【００３５】
ステップＳ２０３において、ＣＲＣ付加部１０１Ｃでデジタル無線データに対してＣＲＣの演算を行い、ＣＲＣを求め、デジタル無線データに付加する。
ステップＳ２０４において、デジタル防災無線基地局１０１のデジタル送受信部１０１ＡではＣＲＣを付加したデジタル無線データについてデジタル変調等を行い、アンテナ１０３から無線信号を送信する。
【００３６】
ステップＳ２０５において、デジタル拡声装置１０４−１、１０４−２、１０４−３、…の各々では、アンテナ１０５で無線信号を受信しデジタル送受信部１０４ＡでＣＲＣを付加したデジタル無線データについてデジタル復調等を行う。
ステップＳ２０６において、デジタル無線データとＣＲＣを分離する。
ステップＳ２０７において、デジタル無線データをアナログに変換する。
【００３７】
ステップＳ２０８において、デジタル拡声装置１０４−１、１０４−２、１０４−３、…の各々のスピーカ１０６から拡声放送音を出力する。
ステップＳ２０９において、デジタル無線データに対してＣＲＣの演算を行い、ＣＲＣを求め、分離したＣＲＣと一致するか又は不一致であるかの判定を行う。
ステップＳ２１０において、ＣＲＣの判定結果を保存し、処理を終了する。
【００３８】
ステップＳ２１１において、操作卓装置１０２のＣＲＣ判定結果要求部１０２Ｂからデジタル拡声装置１０４−１、１０４−２、１０４−３、…の各々にＣＲＣ判定結果の要求の有無を判断する。要求が無い場合には処理を終了する。
ステップＳ２１２において、ＣＲＣ判定結果の要求が有る場合には、デジタル防災無線基地局１０１、アンテナ１０３を介して、ＣＲＣ判定結果の要求を送信する。
【００３９】
ステップＳ２１３において、デジタル拡声装置１０４−１、１０４−２、１０４−３、…の各々ではアンテナ１０５を介して、ＣＲＣ判定結果の要求を受信する。
ステップＳ２１４において、デジタル拡声装置１０４−１、１０４−２、１０４−３、…の各々では、ＣＲＣ判定・保存部１０４ＣからＣＲＣ判定結果を取り出す。
ステップＳ２１５において、アンテナ１０５を介して、取り出したＣＲＣ判定結果をデジタル防災無線基地局１０１に送信する。
【００４０】
ステップＳ２１６において、操作卓装置１０２の表示部１０２ＣでＣＲＣ判定結果を表示し、処理を終了する。
以上説明したように、本発明によれば、従来のアナログ方式の防災無線システムでは、実際の拡声放送音の品質を現場から離れた防災無線基地局で取得することは困難であったが、現場から離れたデジタル防災無線基地局の操作卓装置から拡声放送時の拡声放送音の品質を現場に行かずとも取得することを可能にする。このため拡声放送音の品質の劣化した拡声装置の配置換えを行うことができ、拡声装置の設置されている拡声装置からの拡声放送音の品質の劣化を迅速に回復することが可能になる。
【実施例１】
【００４１】
図７は図３の変形例であり、ＣＲＣ付加部１０１ＣによりＣＲＣが付加されるデジタル無線データの例を示す図である。本図（ａ）、（ｂ）に示すように、デジタル防災無線基地局１０１のデジタル無線データ変換部１０１Ｂでは、デジタル無線データにＣＲＣを付加する付加期間とデジタル無線データにＣＲＣを付加しない非付加期間を交互に設ける。防災無線システム１００を設置する地域で拡声装置の周辺で建物の建設等が少なく電波の環境悪化への影響が小さい場合に応じて付加期間と非付加期間の割合を調整する。これにより、無駄なＣＲＣ付加を抑制することが可能になる。
【図面の簡単な説明】
【００４２】
【図１】本発明に係る防災無線システムの概略構成を示すブロック図である。
【図２】図１におけるデジタル防災無線基地局１０１、操作卓装置１０２、デジタル拡声装置１０４−１、１０４−２、１０４−３、…の各々の概略構成を示すブロック図である。
【図３】図２のＣＲＣ付加部１０１ＣによりＣＲＣが付加されるデジタル無線データの例を示す図である。
【図４】デジタル拡声装置１０４−１、１０４−２、１０４−３、…の各々のＣＲＣ判定・保存部１０４Ｃにより保存されるＣＲＣの判定結果を保存する例を示す図である。
【図５】図２における操作卓装置１０２の表示部１０２Ｃに表示されるＣＲＣ判定結果の例を示す図である。
【図６】図１における防災無線システムの一連の動作例を説明するフロチャートである。
【図７】図３の変形例であり、ＣＲＣ付加部１０１ＣによりＣＲＣが付加されるデジタル無線データの例を示す図である。
【符号の説明】
【００４３】
１００…防災無線システム
１０１…デジタル防災無線基地局
１０１Ａ…デジタル送受信部
１０１Ｂ…デジタル無線データ変換部
１０１Ｃ…ＣＲＣ付加部
１０２…操作卓装置
１０２Ａ…拡声放送音入力部
１０２Ｂ…ＣＲＣ判定結果要求部
１０２Ｃ…表示部
１０３、１０５…アンテナ
１０４−１、１０４−２、１０４−３…デジタル拡声装置
１０４Ａ…デジタル送受信部
１０４Ｂ…拡声音出力部
１０４Ｃ…ＣＲＣ判定・保存部
１０５…アンテナ
１０６…スピーカ
【図１】
2008072422.tif 000003
【図２】
2008072422.tif 000004
【図３】
2008072422.tif 000005
【図４】
2008072422.tif 000006
【図５】
2008072422.tif 000007
【図６】
2008072422.tif 000008
【図７】
2008072422.tif 000009